(57)【要約】【課題】不正使用を阻止するセキュリティ対応ハードディスク装置を提供する。【解決手段】磁気記録媒体１４０および磁気ヘッド１４４を内包し所定の圧力に維持された第一の圧力密閉室１３０と、第一の圧力密閉室に少なくとも一部が隣接され所定の圧力に維持された第二の圧力密閉室１１０と、隣接部位に設けられ、ハードディスク装置の開封時の第一の圧力密閉室と前記第二の圧力密閉室との差圧により第一の圧力密閉室側に可動の可動部材１６０と、可動部材に連結され、磁気記録媒体に近接して記録を消去する永久磁石１７０とを備える。【選択図】　　　　図１
2004046918.tif 000002
【特許請求の範囲】
【請求項１】
磁気記録媒体および磁気ヘッドを内包し所定の圧力に維持された第一の圧力密閉室と、
前記第一の圧力密閉室に少なくとも一部が隣接され所定の圧力に維持された第二の圧力密閉室と、
前記隣接部位に設けられ、ハードディスク装置の開封時の前記第一の圧力密閉室と前記第二の圧力密閉室との差圧により前記第一の圧力密閉室側に可動の可動部材と、
前記可動部材に連結され、前記磁気記録媒体に少なくとも近接して記録を消去する永久磁石と、
を備えることを特徴とするセキュリティ対応ハードディスク装置。
【請求項２】
前記永久磁石は、前記磁気記録媒体の磁性層の少なくとも最内周から最外周を含む形状であることを特徴とする請求項１に記載のセキュリティ対応ハードディスク装置。
【請求項３】
前記永久磁石は、前記磁気記録媒体と同じ円盤状で、磁極が上下面に存することを特徴とする請求項１または２に記載のセキュリティ対応ハードディスク装置。
【請求項４】
前記永久磁石は、平面内に複数の扇形状磁石が配列されており、磁極が隣合う磁石の面側に存することを特徴とする請求項１または２に記載のセキュリティ対応ハードディスク装置。
【請求項５】
前記第一の圧力密閉室は内側筐体によって形成されると共に、前記第二の圧力密閉室が該内側筐体の周りの外側筐体によって形成され、前記第一の圧力密閉室と第二の圧力密閉室との前記所定の圧力は大気圧より低い圧力であることを特徴とする請求項１ないし４のいずれかに記載のセキュリティ対応ハードディスク装置。
【請求項６】
前記内側筐体には一方向弁が設けられると共に、前記外側筐体には圧力抜き口が設けられ、前記第二の圧力密閉室の圧力が前記第一の圧力密閉室の圧力より高くされていることを特徴とする請求項５に記載のセキュリティ対応ハードディスク装置。
【請求項７】
前記第二の圧力密閉室は内側筐体によって形成されると共に、前記第一の圧力密閉室が該内側筐体の周りの外側筐体によって形成され、前記第一の圧力密閉室と第二の圧力密閉室との前記所定の圧力は大気圧より高い圧力であることを特徴とする請求項１ないし４のいずれかに記載のセキュリティ対応ハードディスク装置。
【請求項８】
前記内側筐体には一方向弁が設けられると共に、前記外側筐体には圧力口が設けられ、前記第二の圧力密閉室の圧力が前記第一の圧力密閉室の圧力より高くされていることを特徴とする請求項７に記載のセキュリティ対応ハードディスク装置。
【発明の詳細な説明】
【０００１】
【発明の属する技術分野】
この発明は、ハードディスク装置の磁気記録媒体に記録された情報を、違法な手段で入手しようとした場合等に、その情報の読み出しを不可能にするセキュリティ対応ハードディスク装置に関する。
【０００２】
【従来の技術】
現在のパソコン等の端末機器では、各種のコンテンツがハードディスク装置にプレインストールされていたり、ユーザーが必要とするコンテンツをインターネット等を経由してハードディスク装置にダウンロードして入手したりすることにより、それらを容易に利用することが出来るようになって来ている。そこで、このようにコンテンツが広く行き渡るようになるのに伴い、そのコンテンツの不正利用を確実に防止することも求められて来ている。
【０００３】
従来、不正利用を防止するためには、ＩＤ番号や，パスワードが設定され、契約者のみが使用できるようにされていたが、契約者がＩＤ番号，パスワードを第三者に漏洩し、この第三者が不正使用を行っているケースも見受けられた。このため、新たな対策として、記録媒体個々にＩＤを埋め込んでおき、例えばコンテンツを利用する為に必要なコンテンツキーを、前記ＩＤを基にして作成することにより、始めてコンテンツを利用することが可能となるようなシステムが提案されている。このようにすれば、媒体に埋め込まれているＩＤが盗まれない限り、素人に限らず、マ二ア等によるコンテンツの不正利用は完全に阻止されることになる。
【０００４】
【発明が解決しようとする課題】
しかしながら、上記のような不正防止の対策を行っていても、専門知識を持っている者が、ハードディスク装置を分解し、記録媒体の記録面の記録状態を磁気ヘッドを用いて読み取り、信号処理などの手段を用いれば、コンテンツキー，ＩＤ等を盗み取ることは原理的に可能であり、これにより著作権等で保護されているコンテンツ情報のみを取り出すことは、専門家にとっては全く不可能とは言えない。
【０００５】
従って、インターネットなどを用いたコンテンツ配信の普及をさらに高めるためには、コンテンツ供給者の著作権等が完全に保護される信頼性の高いシステムが求められている。本発明は、かかる要求を満たすセキュリティ対応ハードディスク装置を提供するものである。
【０００６】
【課題を解決するための手段】
上述の要求を満たす本発明のセキュリティ対応ハードディスク装置は、磁気記録媒体および磁気ヘッドを内包し所定の圧力に維持された第一の圧力密閉室と、前記第一の圧力密閉室に少なくとも一部が隣接され所定の圧力に維持された第二の圧力密閉室と、前記隣接部位に設けられ、ハードディスク装置の開封時の前記第一の圧力密閉室と前記第二の圧力密閉室との差圧により前記第一の圧力密閉室側に可動の可動部材と、前記可動部材に連結され、前記磁気記録媒体に少なくとも近接して記録を消去する永久磁石と、を備えることを特徴とする。
【０００７】
本発明によれば、少なくとも大気中でハードディスク装置が開けられると、開封時の第一の圧力密閉室と第二の圧力密閉室との差圧により、可動部材が移動し、可動部材に連結されている永久磁石が磁気記録媒体に少なくとも近接して記録を消去する。これにより、コンテンツ情報が正しく読み出せないようになり、コンテンツの読み出しが阻止される。
【０００８】
【発明の実施の形態】
以下、本発明の実施の形態を添付図面を参照しつつ説明する。
【０００９】
まず、本発明の第一の実施の形態によるハードディスク装置１００の断面構造を図１に示す。ハードディスク装置１００は、密閉された二室構造となっている。より詳しくは、本発明の第一の実施の形態では、第二の圧力密閉室としての外側の圧力密閉室１１０が、ハードディスク装置の外側筐体１２０にて構成され、これに少なくとも一部が隣接され所定の圧力に維持された第一の圧力密閉室としての内側の密閉室１３０が、磁気記録媒体としてのハードディスク１４０，ヘッドアーム１４２、磁気ヘッド１４４等を内包するように、内側筐体１５０にて構成されている。なお、１４６はハードディスク１４０を駆動するスピンドルモータである。
【００１０】
この内側筐体１５０には、第一の圧力密閉室と第二の圧力密閉室との差圧による変位量を大きく、また変位量を安定的に得る為に、図２にさらに詳細に示すように、ゴム等の素材からなるベローズ状の可動部材１６０が設けられている。そして、この可動部材１６０は磁気記録媒体の記録面に対向する位置に設置されている。可動部材１６０の中心には、図３に詳しく示すように、磁気記録媒体としてのハードディスク１４０の磁性層１４０ａを含む記録面に対向する関係で、磁気記録媒体とほぼ同じ大きさの円盤状の永久磁石１７０が、主軸１７２を介して固定されている。主軸１７２の中心には、案内孔１７２ａが穿設されており、スピンドルモータ１４６のシャフト１４７が嵌合されている。なお、１４０ｂは、磁性層１４０ａの表面に被覆された潤滑層である。
【００１１】
この永久磁石１７０には、ハードディスク１４０との近接または接触時に磁気ヘッドアーム１４２を避けるための切欠１７０ａが形成されている。また、永久磁石１７０は、その上下移動を滑らかに行う為に、図３に示すように、複数本の側柱１７４にガイドされるようにしてもよい。
【００１２】
上記永久磁石１７０は、ハードディスク１４０の磁性層１４０ａが垂直方向磁気記録用か、長手方向磁気記録用かで、構成を変える必要がある。これは、図４（Ａ）および（Ｂ）に示すように、外部から印加される磁界の磁性層１４０ａの磁化の向きに影響を与える成分は、その方向と同じベクトル成分のみであるからである。
【００１３】
図５は、垂直方向磁気記録用の磁性層１４０ａに対応する、永久磁石１７０の構成を示し、ここでは永久磁石１７０の形状が磁気記録媒体のハードディスク１４０と同等の大きさの円盤とされている。そして、その表面および裏面をＮおよびＳ極とし、永久磁石１７０の磁界強度が磁性層１４０ａでの磁化の強度より十分に大きくなるように設定されている。このようにすると、永久磁石１７０がハードディスク１４０に近接した場合に、磁化反転させることが出来る。なお、磁気記録媒体と同等の大きさの永久磁石を用いれば、磁気記録媒体の全面に渡って、磁化反転させることが出来るが、コンテンツの一部の情報を欠如させることにより商品価値をなくせるのであれば、前記磁石は円盤である必要はなく、図６に示すように、ほぼ扇形状の永久磁石１７０であって、全トラックをカバーするような形状の永久磁石でもよい。
【００１４】
図７は、長手方向磁気記録用の磁性層１４０ａに対応する永久磁石１７０の構成を示し、ここでは、平面内に複数の扇形状磁石が配列されており、磁極が隣合う磁石の面側に存すると共に、隣合う永久磁石の磁極が相反するように配置されている。このようにすれば、垂直方向磁気記録用の磁性層の場合のように、全ての領域で磁化反転させることは難しいが、磁気記録媒体のほぼ全面に渡って、磁化反転させることが出来る。
【００１５】
さらに、内側筐体１５０には、ハードディスク装置１００の製造時において、第一の圧力密閉室１３０と第二の圧力密閉室１１０との圧力を適正に設定するために、図８に示すような一方向弁１８０が装着されている。この一方向弁１８０は、第一の圧力密閉室１３０の方が第二の圧力密閉室１１０より圧力が高いときには流出し、逆に低いときには流入を阻止する構造となっている。すなわち、一方向弁１８０は、中央の拡径部１８２に移動自在に装着された所定の直径のボール１８４を備え、拡径部１８２の両側に第一および第二のシート部１８６および１８８が形成されている。そして、第一の圧力密閉室１３０側に位置される第一のシート部１８６は、図８（Ａ）および（Ｂ）に示すように、ボール１８４の着座によりシールされるのに対し、第二の圧力密閉室１１０側に位置される第二のシート部１８８は、ボール１８４が着座しても隙間が形成されるようにその寸法が設定されている。さらに、ハードディスク装置１００の外側筐体１２０には、圧力抜き口１２２が設けられている。また、１９０はハードディスク装置１００の制御を行う回路等が配された回路基板であり、その配置位置はいずれであってもよい。
【００１６】
このような構成のハードディスク装置１００の組み立ては、以下のようにして行うことが出来る。
１）ハードディスク装置１００の全部品の組立、配線を行う。
２）内側筐体１５０および外側筐体１２０のそれぞれの合わせ面を超音波溶着装置で、溶着接合し、それぞれを気密構造とする。
３）一方向弁１８０のボール１８４が第二の圧力密閉室１１０側、すなわち、図８（Ａ）および（Ｂ）に示す第二のシート部１８８に移動するように、ハードディスク装置１００の姿勢を設定し、外側筐体１２０に設けられた圧力抜き口１２２から真空ポンプにて減圧する。
４）ハードディスク装置１００内が大気圧より低い所定の圧力になった段階で真空引きを止め、ハードディスク装置１００の姿勢を１８０度回転させて、一方向弁１８０のボール１８４を第一の圧力密閉室１３０側、すなわち、第一のシート部１８６に移動させる。この状態で、第二の圧力密閉室１１０側の圧力を若干高める。すると、一方向弁１８０のボール１８４が圧力差で第一のシート部１８６に押圧されて、第一の圧力密閉室１３０が封止される。
５）そこで、外側筐体１２０の圧力抜き口１２２の封止を熱溶着等の手段を用いて実施する。
【００１７】
かくて、外気より低圧に密閉維持されたハードディスク装置１００が得られる。
【００１８】
ここで、ハードディスク装置１００が、不正使用の目的等で外側筐体１２０が開封（開封位置を図５にＸで示す）されると、外側筐体１２０により画成されている第二の圧力密閉室１１０の圧力が大気圧相当となり、大気圧より低圧に維持されている第一の圧力密閉室１３０との間に差圧が生ずることになる。すると、可動部材１６０に圧力差に伴う力が働き、図９に示すように、ベローズ状膜の引張り力と平衡する位置まで、可動部材１６０は変形し、移動する。これにより、可動部材１６０に取付けられている永久磁石１７０も可動部材１６０の変形、移動に伴い移動し、ハードディスク１４０に近接または接触する。そして、永久磁石１７０が、磁気記録媒体の磁性層１４０ａに近接する結果、磁性層１４０ａの磁化が反転され、磁性層１４０ａの磁気信号は正常に得られなくなる。かくて、不正使用が防止される。
【００１９】
次に、本発明の第二の実施の形態につき図１０を参照して説明する。第一の実施の形態では、ハードディスク装置１００内を大気圧以下に減圧したが、第二の実施の形態におけるハードディスク装置２００は大気圧以上に加圧して維持するものである。なお、前実施の形態と同一機能部位については同一符号を用い重複説明を避ける。
【００２０】
図１０において、ハードディスク装置２００の第二の圧力密閉室２１０は内側筐体２５０によって形成されると共に、第一の圧力密閉室２３０が内側筐体２５０の周りの外側筐体２２０によって形成されている。そして、第一の圧力密閉室２３０と第二の圧力密閉室２１０との隣接部位には、ハードディスク装置２００の開封時の差圧により第一の圧力密閉室２３０側に可動の可動部材２６０が設けられている。
【００２１】
さらに、内側筐体２５０には第一の実施の形態で用いた一方向弁１８０と同種の一方向弁２８０が設けられると共に、外側筐体２２０には圧力口２２２が設けられている。但し、第二の実施の形態における一方向弁２８０は、第一のシート部が第一の圧力密閉室２３０側に位置され、第二のシート部が第二の圧力密閉室２１０側に位置される関係上、内側筐体２５０との関係では、第一のシート部が第二のシート部よりも内側筐体２５０に対し離れて位置されることになる。
【００２２】
このような構成のハードディスク装置２００の組み立ては、第一の実施の形態の場合とほぼ同様に行うことが出来、ハードディスク装置２００の全部品の組立、配線を行い、内側筐体２５０および外側筐体２２０の合わせ面を超音波溶着装置で、溶着接合し、それぞれを気密構造とする。そして、一方向弁２８０のボールが第二の圧力密閉室２１０側、すなわち、第二のシート部に移動するように、ハードディスク装置２００の姿勢を設定し、外側筐体２２０に設けられた圧力口２２２からポンプにて加圧する。ハードディスク装置２００内が大気圧より高い所定の圧力になった段階で加圧を止め、ハードディスク装置２００の姿勢を１８０度回転させて、一方向弁２８０のボールを第一の圧力密閉室２３０側、すなわち、第一のシート部に移動させる。この状態で、第一の圧力密閉室２３０側の圧力を若干低める。すると、一方向弁２８０のボールが圧力差で第一のシート部に押圧されて、第二の圧力密閉室２１０が封止される。そこで、外側筐体２２０の圧力口２２２の封止を熱溶着等の手段を用いて実施する。かくて、第二の圧力密閉室２１０の圧力が第一の圧力密閉室２３０の圧力より高く、全体として外気より高圧に密閉維持されたハードディスク装置２００が得られる。
【００２３】
ここで、ハードディスク装置２００が、不正使用の目的等で外側筐体２２０が開封されると、外側筐体２２０により画成されている第一の圧力密閉室２３０の圧力が大気圧相当となり、大気圧より高圧に維持されている第二の圧力密閉室２１０との間に差圧が生ずることになる。すると、可動部材２６０に圧力差に伴う力が働き、第一の実施の形態の場合と同様に、永久磁石１７０も可動部材２６０の変形、移動に伴い移動し、ハードディスク１４０に近接または接触する。そして、永久磁石１７０の近接の結果、磁性層の記録が消去され、磁気信号は正常に得られなくなる。かくて、不正使用が防止される。
【００２４】
【発明の効果】
本発明によれば、空気中でハードディスク装置を開けて、ハードディスクに記録されているコンテンツ情報を読み出そうとしても、予め大気圧に対し加圧または減圧された二つの圧力密閉室の差圧により、永久磁石が自動的に動き、磁気記録媒体の記録を消去するので、コンテンツの読み出しが完全に阻止され、コンテンツ提供者の著作権を保護することが出来る。
【図面の簡単な説明】
【図１】本発明によるハードディスク装置の第一の実施の形態を示す断面図である。
【図２】本発明によるハードディスク装置の第一の実施の形態の内側筐体の構造を示す断面図である。
【図３】本発明によるハードディスク装置の永久磁石付近の構造を示し、（Ａ）は側断面図、（Ｂ）は平断面図である。
【図４】外部磁界による磁気記録媒体における磁化反転への寄与を説明する図である。
【図５】本発明における垂直方向磁気記録用の磁性層に対応した永久磁石の構成を示す、（Ａ）は側断面図、（Ｂ）は平断面図である。
【図６】本発明における領域限定をした永久磁石の構成を示す平面図である。
【図７】本発明における長手方向磁気記録用の磁性層に対応した永久磁石の構成を示す、（Ａ）は側断面図、（Ｂ）は平断面図である。
【図８】本発明における一方向弁の構造を示す、（Ａ）は正面方向、（Ｂ）および（Ｃ）は側面方向からの断面図であり、（Ａ）および（Ｂ）は空気の移動可能状態を、（Ｃ）は封止状態を示している。
【図９】本発明おけるハードディスク装置の第一の実施の形態を開封した状態を示す断面図である。
【図１０】本発明によるハードディスク装置の第二の実施の形態を示す断面図である。
【符号の説明】
１００、２００　　ハードディスク装置
１１０、２１０　　第二の圧力密閉室
１２０、２２０　　外側筐体
１３０、２３０　　第一の圧力密閉室
１４０　　ハードディスク（磁気記録媒体）
１４４　　磁気ヘッド
１５０、２５０　　内側筐体
１６０、２６０　　可動部材
１７０　　永久磁石
１８０、２８０　　一方向弁
１９０　　回路基板
【図１】
2004046918.tif 000003
【図２】
2004046918.tif 000004
【図３】
2004046918.tif 000005
【図４】
2004046918.tif 000006
【図５】
2004046918.tif 000007
【図６】
2004046918.tif 000008
【図７】
2004046918.tif 000009
【図８】
2004046918.tif 000010
【図９】
2004046918.tif 000011
【図１０】
2004046918.tif 000012